(57)【要約】【課題】ゴルフカートにおいては、車体の後部に４人分のキャディバッグを車幅方向に並べて傾斜立設状態で支持する構成のものが多い。そのため、内側の２つのキャディバッグでは、端側のキャディバッグが邪魔となって、低い位置にある収納ポケットのファスナー等の操作がし難く、物の出し入れがやりにくいという課題があった。【解決手段】本発明では、ゴルフカートの車体の後部に配置された台座部と、その下部から後上方に突設支持された支持杆に横設された車幅方向のバッグ受け部材を備えたバッグ側面支持部とから構成される積載装置において、台座部に車幅方向に並べた４つのキャディバッグの内側の２つのキャディバッグの底部の位置に対応して、それらの底部を高い位置で支持するための突部を設けることにより、このような課題の解決を図る。【選択図】図１
2018191699.tif 000002
【特許請求の範囲】
【請求項１】
ゴルフカートの車体の後部に配置され、後下方に傾斜した傾斜面によりキャディバッグの底部を支持する台座部と、この台座部の下部から後上方に突設支持された支持杆に横設された車幅方向のバッグ受け部材を備えたバッグ側面支持部とから構成され、４つのキャディバッグを車幅方向に並べて傾斜立設状態で支持可能な積載装置において、前記台座部には、車幅方向に並べた４つのキャディバッグの内側の２つのキャディバッグの底部の位置に対応して、それらの底部を高い位置で支持するための突部を設けたことを特徴とするゴルフカートにおけるキャディバッグの積載装置。
【請求項２】
突部は、車幅方向に配置して固定した細長い箱状体として構成したことを特徴とする請求項１に記載のゴルフカートにおけるキャディバッグの積載装置。
【請求項３】
突部は、車幅方向に配置して固定した単数又は複数の棒状体として構成したことを特徴とする請求項１に記載のゴルフカートにおけるキャディバッグの積載装置。
【発明の詳細な説明】
【技術分野】
【０００１】
本発明は、ゴルフカート、特に、ゴルフカートの車体後部に設けられた、キャディバッグを積載するための積載装置に関するものである。
【背景技術】
【０００２】
一般に、国内のゴルフ場では、１パーティ当たり、ゴルファー４人とキャディ１人の５人でコースをラウンドすることが多いので、ゴルフカートは、車体の後部に４人分のキャディバッグの積載装置が設けられた構成のものが多い。
【０００３】
例えば特許文献１のゴルフカートでは、車体の後部に設けられた積載装置Ｌは、図５に示されるように、ゴルファー４人分の４つのキャディバッグＣ１、Ｃ２、Ｃ３、Ｃ４が車幅方向に並べられて傾斜立設状態で支持される構成となっている。尚、図５のゴルフカートは２人乗りが示されているが、ゴルファー４人とキャディ１人の計５人が乗用できる５人乗りのゴルフカートも多い。
【０００４】
このようなゴルフカートにおけるキャディバッグの積載装置としては、例えば特許文献２や特許文献３等に示されるように、車体の後部に配置されたキャディバッグの底部を支持する台座部と、台座部の下部から後上方に突設支持された支持杆に横設され、キャディバッグの側面を支持するための、車幅方向のバッグ受け部材とから構成されたものがある。
【０００５】
図７は、このような積載装置Ｌを概略的に示すものである。符号１０１は車体後部を示すもので、この車体後部１０１の後輪１０２の上方に、後下方に４５°程度傾斜された面として構成された台座部１０３が設けられており、この台座部１０３の下部から後上方に、左右一対の支持杆１０４が、４５°程度の傾斜で傾斜立設状態に支持されている。
【０００６】
これらの支持杆１０４の上部個所間には、上側受け部材１０５が車幅方向に横設されており、また支持杆１０４の下部個所間には、下側受け部材１０６が車幅方向に横設されている。そして上側受け部材１０５の両端には、キャディバッグの横方向外側への移動による落下を防止するために、前方に突出した保持部１０７が形成されており、また、下側受け部材１０６の両端にも、キャディバッグの横方向外側への移動による落下を防止するために、前方に突出した保持部１０８が形成されている。このように、図７の積載装置Ｌでは、バッグ受け部材は、上側受け部材１０５と下側受け部材１０６とから構成されている。
【０００７】
尚、図６においては図示を省略しているが、積載装置の左右一対の支持杆１０４は、例えば特許文献２、特許文献３等に示されるように、リンク機構等を利用した適宜の支持機構により、積載装置の使用時に図示の傾斜立設状態で支持される構成となっており、また積載装置の不使用時には上方に立設状態として、ゴルフカートの格納スペースを低減できる構成となっている。
【０００８】
このような積載装置Ｌの使用時において、車幅方向に並べられた夫々のキャディバッグＣ１、Ｃ２、Ｃ３、Ｃ４は、図８に示されるように、それらの底部が台座部１０３に当接すると共に、上部と下部の側面が、夫々上部バッグ受け部材１０５と下部バッグ受け部材１０６に当接して、後上方に４５°程度傾斜した傾斜立設状態で支持される。
【０００９】
このように、ゴルファー４人分の４つのキャディバッグＣ１、Ｃ２、Ｃ３、Ｃ４は、ゴルフカートの後部の積載装置Ｌに、車幅方向に並べられて傾斜立設状態で支持されるので、コースをラウンドしている際に、ゴルファーはキャディバッグＣ１、Ｃ２、Ｃ３、Ｃ４から、ゴルフクラブや、ゴルフポール、ゴルフティー等の品物の出し入れを行うことができる。
【先行技術文献】
【特許文献】
【００１０】
【特許文献１】特許第２９９１０２４号公報
【特許文献２】特開２００４−１３５８２８号公報
【特許文献３】特開２００７−６１３７９号公報
【発明の概要】
【発明が解決しようとする課題】
【００１１】
キャディバッグＣ１、Ｃ２、Ｃ３、Ｃ４には、ゴルフクラブ以外に、ゴルフボールや、ゴルフティー、グリーンフォーク、ボールマーカー等の小物、着替え、レインエア等の様々なものを収納するため、いくつかの収納ポケットが設けられており、キャディバッグを積載装置に積載する際には、ラウンドしている際に必要な小物等の品物の収納ポケット１０９を上に向けて積載することとなる。
【００１２】
キャディバッグのデザインにもよるが、ラウンドしている際に必要な品物の収納ポケット１０９は、キャディバッグの底部側に配置されるものも多い。
【００１３】
上述した通り、４人分の４つのキャディバッグＣ１、Ｃ２、Ｃ３、Ｃ４は車幅方向に並べられて傾斜立設状態で支持されており、このような状態において、プレーヤーが自分のキャディバッグの収納ポケット１０９を使用しようとした場合、端側、即ち外側に位置するキャディバッグＣ１、Ｃ４に関しては、低い位置にある収納ポケット１０９でも容易にファスナー等を操作して物の出し入れを行うことができるが、内側の２つのキャディバッグＣ２、Ｃ４では、端側のキャディバッグＣ１、Ｃ４が邪魔となって、低い位置にある収納ポケット１０９のファスナー等の操作がし難く、物の出し入れがやりにくいという課題があった。
【００１４】
本発明は、このような課題を解決することを目的とするものである。
【課題を解決するための手段】
【００１５】
本発明では、上述した課題を解決するために、ゴルフカートの車体の後部に配置され、後下方に傾斜した傾斜面によりキャディバッグの底部を支持する台座部と、この台座部の下部から後上方に突設支持された支持杆に横設された車幅方向のバッグ受け部材を備えたバッグ側面支持部とから構成され、４つのキャディバッグを車幅方向に並べて傾斜立設状態で支持可能な積載装置において、前記台座部には、車幅方向に並べた４つのキャディバッグの内側の２つのキャディバッグの底部の位置に対応して、それらの底部を高い位置で支持するための突部を設けた、ゴルフカートにおけるキャディバッグの積載装置を提案する。
【００１６】
本発明において、バッグ受け部材は、支持杆の上部に横設された上部受け部材と、支持杆の下部に横設された下部受け部材とから構成されることを提案する。
【００１７】
本発明において、突部は、車幅方向に配置して固定した細長い箱状体として構成したり、車幅方向に配置して固定した単数又は複数の棒状体として構成することができる。
【発明の効果】
【００１８】
本発明によれば、車幅方向に並べられた４つのキャディバッグの内、内側の２つのキャディバッグは、台座部に設けた突部によって、外側の２つのキャディバッグよりも高い位置に支持され、底部側の低い位置にある収納ポケットも高い位置に支持されるので、その収納ポケットのファスナー等の操作を、外側のキャディバッグに邪魔されずに容易に行うことができ、物の出し入れがやり易くなる。
【図面の簡単な説明】
【００１９】
【図１】図１は本発明のゴルフカートに係る積載装置の実施の形態を概略的に示す斜視説明図である。
【図２】図２は本発明のゴルフカートに係る積載装置の実施の形態の使用状態を車体後部側から見た説明図である。
【図３】図３は図２のＡ−Ａ線断面に対応する説明図である。
【図４】図４は図２のＢ−Ｂ線断面に対応する説明図である。
【図５】図５は本発明のゴルフカートに係る積載装置の他の実施の形態を概略的に示す斜視説明図である。
【図６】図６はゴルフカートにおける従来の積載装置の使用状態の一例を概略的に示す斜視説明図である。
【図７】図７はゴルフカートに係る従来の積載装置の構成を概略的に示す斜視説明図である。
【図８】図８はゴルフカートに係る従来の積載装置の使用状態を車体後部側から見た説明図である。
【発明を実施するための形態】
【００２０】
次に本発明を実施するための形態を添付した図１〜図５を参照して説明する。
これらの図において、符号１は車体後部を示すもので、また符号Ｌはキャディバッグの積載装置を示すものである。
【００２１】
車体後部１の後輪２の上方には台座部３が設けられており、この台座部３は、後下方に４５°程度傾斜された面として構成され、凹凸条により補強されている。台座部３の下部から後上方には、左右一対の支持杆４が突設支持されており、この支持杆４は図示を省略しているリンク機構等の支持機構により、積載装置Ｌとしての使用状態において傾斜立設状態に支持され、積載装置Ｌとしての不使用状態においては上方に回転して立設状態とすることができる構成としている。
【００２２】
上記左右一対の支持杆４の上部個所間には、上側受け部材５が車幅方向に横設されており、また支持杆４の下部個所間には、下側受け部材６が車幅方向に横設されている。そして上側受け部材５の両端には、キャディバッグの横方向外側への移動による落下を防止するために、前方に突出した保持部７が形成されており、また、下側受け部材６の両端には、キャディバッグの横方向外側への移動による落下を防止するために、前方に突出した保持部８が形成されている。
【００２３】
こうして上記支持杆４と上側受け部材５と下側受け部材６とにより、キャディバッグのバッグ側面支持部が構成されている。この他、バッグ側面支持部は、上記左右一対の支持杆４の間にも支持杆を設けた構成としたり、上側受け部材５と下側受け部材６の中間位置にも車幅方向の受け部材を設けた構成とすることもできる。
【００２４】
以上の構成において、本発明に係る積載装置Ｌの実施の形態では、前記台座部３に、車幅方向に並べた４つのキャディバッグＣ１、Ｃ２、Ｃ３、Ｃ４の内側の２つのキャディバッグＣ２、Ｃ３の底部の位置に対応して、それらの底部を高い位置で支持するための突部９を設けている。
【００２５】
図１に示す実施の形態では、突部９は、内側の２つのキャディバッグＣ２、Ｃ３の底部の位置に対応して車幅方向に配置した細長い箱状体を固定して設けているが、この他、図５に示すように車幅方向に配置して固定した単数又は複数の棒状体等として構成することもできる。
【００２６】
以上の構成において、ゴルフのプレーをする際、積載装置Ｌの使用状態、即ち、バック側面支持部が傾斜立設状態において、プレーヤー４人のキャディバッグＣ１、Ｃ２、Ｃ３、Ｃ４を積載すると、夫々のキャディバッグＣ１、Ｃ２、Ｃ３、Ｃ４は、底部を台座部３上に支持されると共に、側面を上部受け部材５と下部受け部材６を備えたバック側面支持部に支持されて、車幅方向に並べられて、傾斜立設状態で安定に支持される。
【００２７】
本発明においては、この際、図２〜図４に示すように、内側の２つのキャディバッグＣ２、Ｃ３の底部は、台座部３に設けた突部９によって、外側の２つのキャディバッグＣ１、Ｃ４よりも高い位置に支持されている
【００２８】
このため底部側の低い位置にある収納ポケット１０も高い位置に支持されているので、その収納ポケット１０のファスナー等の操作も外側のキャディバッグＣ１、Ｃ４に邪魔されずに容易に行うことができ、物の出し入れがやり易い。
【産業上の利用可能性】
【００２９】
本発明は以上の通りであるので、ゴルファー４人分の４つのキャディバッグを車幅方向に並べて傾斜立設状態で支持する構成の積載装置を後部に設けたゴルフカートにおいて、内側に位置するキャディバッグにおいても、その下側に位置する収納ポケットからの品物の出し入れを非常にやり易くすることができるキャディバッグの積載装置を提供することができる。
【符号の説明】
【００３０】
１                        車体後部
２                        後輪
３                        台座部
４                        支持杆
５                        上側受け部材
６                        下側受け部材
７                        保持部
８                        保持部
９                        突部
１０                      収納ポケット
１０１                    車体後部
１０２                    後輪
１０３                    台座部
１０４                    支持杆
１０５                    上側受け部材
１０６                    下側受け部材
１０７                    保持部
１０８                    保持部
１０９                    収納ポケット
Ｌ                        積載装置
Ｃ１、Ｃ２、Ｃ３、Ｃ４    キャディバッグ
【図１】
2018191699.tif 000003
【図２】
2018191699.tif 000004
【図３】
2018191699.tif 000005
【図４】
2018191699.tif 000006
【図５】
2018191699.tif 000007
【図６】
2018191699.tif 000008
【図７】
2018191699.tif 000009
【図８】
2018191699.tif 000010
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ゴルフカートの車体の後部に配置され、後下方に傾斜した傾斜面によりキャディバッグの底部を支持する台座部と、この台座部の下部から後上方に突設支持された支持杆に横設された車幅方向のバッグ受け部材を備えたバッグ側面支持部とから構成され、４つのキャディバッグを車幅方向に並べて傾斜立設状態で支持可能な積載装置において、前記台座部には、車幅方向に並べた４つのキャディバッグの内側の２つのキャディバッグの底部の位置に対応して、それらの底部を高い位置で支持するための突部を設け、この突部は、車幅方向に配置して固定した細長い箱状体として構成したことを特徴とするゴルフカートにおけるキャディバッグの積載装置。
【手続補正２】
【補正対象書類名】明細書
【補正対象項目名】００１５
【補正方法】変更
【補正の内容】
【００１５】
本発明では、上述した課題を解決するために、ゴルフカートの車体の後部に配置され、後下方に傾斜した傾斜面によりキャディバッグの底部を支持する台座部と、この台座部の下部から後上方に突設支持された支持杆に横設された車幅方向のバッグ受け部材を備えたバッグ側面支持部とから構成され、４つのキャディバッグを車幅方向に並べて傾斜立設状態で支持可能な積載装置において、前記台座部には、車幅方向に並べた４つのキャディバッグの内側の２つのキャディバッグの底部の位置に対応して、それらの底部を高い位置で支持するための突部を設け、この突部は、車幅方向に配置して固定した細長い箱状体として構成した、ゴルフカートにおけるキャディバッグの積載装置を提案する。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】